(57)【特許請求の範囲】
【請求項１】
対向配置された１対の電極間にイオン透過性の隔膜を備え、該隔膜により２つの電解室に分離形成された電解槽と、各電解室に供給される原水に塩化物を添加して塩化物水溶液を調製する塩化物添加手段と、該塩化物水溶液を被電解水として各電解室に供給する被電解水供給手段と、陽極側の電解室から塩素を含む酸性の電解水を取出す酸性電解水取出し手段とを備える電解水生成装置において、
少なくとも前記陽極側の電解室内の前記酸性電解水取出し手段の近傍に、生成する電解水を希釈する希釈水を供給する希釈水供給手段を備えることを特徴とする電解水生成装置。
【請求項２】
前記被電解水供給手段は前記各電解室の底部から前記塩化物水溶液を供給すると共に、前記酸性電解水取出し手段は前記陽極側の電解室の上部から前記酸性の電解水を取出すことを特徴とする請求項１記載の電解水生成装置。
【請求項３】
前記電極は、前記陽極側の電解室において、前記希釈水供給手段に臨む位置に備えられることを特徴とする請求項１または請求項２記載の電解水生成装置。
【請求項４】
前記希釈水供給手段は前記希釈水として前記原水を供給することを特徴とする請求項１乃至請求項３のいずれかの項記載の電解水生成装置。
【発明の詳細な説明】
【０００１】
【発明の属する技術分野】
本発明は、殺菌効果を有する電解水を生成する電解水生成装置に関するものである。
【０００２】
【従来の技術】
従来、対向配置された１対の電極間にイオン透過性の隔膜を備え、該隔膜により２つの電解室に分離形成された電解槽を備える電解水生成装置が知られている。前記電解水生成装置では、各電解室に塩化ナトリウム等の塩化物を含む水溶液を供給し、両電極間に所定の電流を通じて前記塩化物水溶液の電解を行うことにより、陽極側の電解室から塩素、次亜塩素酸等の有効残留塩素を含む酸性の電解水が得られる。前記酸性の電解水は前記残留塩素を主体とする殺菌効果により、食器、食品、水道水等の殺菌、消毒に用いられる。また、前記残留塩素を主体とする殺菌効果は植物病原菌に対しても有効であるので、前記酸性の電解水は植物、土壌等の殺菌、消毒に用いることもできる。
【０００３】
ところで、前記酸性の電解水を前記植物、土壌等の殺菌、消毒に用いるために圃場等に散布する場合には、相当まとまった量を必要とする。しかし、前記電解水生成装置で一度に大量の電解水を生成させようとすると、装置を大型化しなければならないとの問題がある。また、小型の装置で少量ずつ酸性の電解水を生成させて、該電解水を貯留しておくことも考えられるが、前記電解水は貯留されている間に殺菌効果が低減するとの問題がある。
【０００４】
前記問題を解決するために、例えば特公平４−４２０７７号公報には、原水に塩化ナトリウムを添加して得られる塩化ナトリウム水溶液を前記電解槽で電解して、陽極側の電解室から有効残留塩素を含む酸性の電解水を得ると共に、前記電解室外で該電解水に原水を添加して希釈する技術が提案されている。前記公報記載の技術によれば、前記陽極側の電解室から得られた酸性の電解水を前記原水で希釈することにより、残留塩素濃度またはｐＨ値を任意に調整することができると共に、前記酸性の電解水の収量を増加させることができるとされている。
【０００５】
しかしながら、前記公報記載の技術は、前記陽極側の電解室から取出された酸性の電解水に前記電解室外で前記原水を添加して希釈するものであるので、前記電解室から取出された電解水に含まれる残留塩素濃度を所定の希釈倍率により定まる濃度にできるに過ぎない。また、前記公報記載の技術では、前記電解室から取出された電解水に含まれる残留塩素濃度を所望の濃度に希釈する際の希釈倍率により定まる以上には電解水の収量を多くすることができない。
【０００６】
【発明が解決しようとする課題】
本発明は、かかる事情に鑑み、陽極側の電解室から得られた酸性の電解水を希釈する際に、該電解水に含まれる残留塩素濃度を所定の希釈倍率により定まる濃度より高くすることができる電解水生成装置を提供することを目的とする。
【０００７】
また、本発明の目的は、前記電解室から取出された電解水を前記電解室外で所望の濃度に希釈するとき以上の希釈倍率で希釈しても該所望の濃度の電解水を得ることができ、該電解水の収量を増加させることができる電解水生成装置を提供することにもある。
【０００８】
さらに、本発明の目的は、電解効率を向上させることができる電解水生成装置を提供することにもある。
【０００９】
【課題を解決するための手段】
かかる目的を達成するために、本発明の電解水生成装置は、対向配置された１対の電極間にイオン透過性の隔膜を備え、該隔膜により２つの電解室に分離形成された電解槽と、各電解室に供給される原水に塩化物を添加して塩化物水溶液を調製する塩化物添加手段と、該塩化物水溶液を被電解水として各電解室に供給する被電解水供給手段と、陽極側の電解室から塩素を含む酸性の電解水を取出す酸性電解水取出し手段とを備える電解水生成装置において、少なくとも前記陽極側の電解室内の前記酸性電解水取出し手段の近傍に、生成する電解水を希釈する希釈水を供給する希釈水供給手段を備えることを特徴とする。
【００１０】
本発明の電解生成装置では、前記塩化物添加手段により原水に塩化ナトリウム等の塩化物を添加することにより調製された塩化物水溶液が、前記被電解水供給手段により前記電解槽の各電解室に供給される。次に、前記電解槽では前記１対の電極間に所定の電流を通じることにより、各電解室に供給された前記塩化物水溶液の電解を行う。
【００１１】
前記電解において、前記陽極側の電解室では、次式（１）〜（４）の反応が起きる。
【００１２】
【化１】
0003746932.tif 000002
【００１３】
また、前記陰極側の電解室では、次式（５）の反応が起きる。
【００１４】
【化２】
0003746932.tif 000003
【００１５】
この結果、前記陽極側の電解室では塩素（Ｃｌ2)及び次亜塩素酸（ＨＣｌＯ）を含む酸性の電解水が生成し、陰極側の電解室ではアルカリ性の電解水が生成する。各電解室は前記イオン透過性の隔膜により分離形成されているため、前記両電解水は相互に混合されることが無く、前記酸性の電解水は前記酸性電解水取出し手段により効率よく取出される。
【００１６】
ところで、前記式（２）、（３）に示すように、前記陽極側の電解室で生成する塩素は、その一部は該電解室で生成する電解液に溶解するが、他の一部は前記電解液に溶解することなく気体状となる。前記気体状の塩素は、前記酸性の電解水が前記酸性電解水取出し手段により前記陽極の電解室外に取出されると、外気中に放出されるので、通常は残留塩素として作用しない。
【００１７】
そこで、本発明の電解水生成装置は、前記希釈水供給手段を前記陽極側の電解室内の前記酸性電解水取出し手段の近傍に備え、該電解室で生成した酸性の電解水に希釈水を供給することにより、次式（６）に示すように、該電解室内で前記気体状の塩素の溶解を促進する。
【００１８】
【化３】
0003746932.tif 000004
【００１９】
この結果、前記公報記載の従来技術のように前記電解室外で前記電解水に希釈水を供給する場合に比較して、同率の希釈率であれば、より残留塩素濃度の高い電解水を得ることができる。従って、より大きな殺菌効果を有する電解水を得ることができる。
【００２０】
また、同率の残留塩素濃度を有する電解水を得ようとすれば、前記従来技術よりも希釈率を高くすることができ、前記酸性の電解水の収率を高めることができる。
【００２１】
更に、本発明の電解水生成装置によれば、前記のようにして前記電解室内で前記気体状の塩素を前記生成した電解水に溶解せしめることにより、該電解水が該電解室の外に取り出されたときの塩素ガスの量を低減することができる。
【００２２】
前記希釈水供給手段は、前記陽極側の電解室内の前記酸性電解水取出し手段の近傍に備えられていることが必要である。前記希釈水供給手段を前記酸性電解水取出し手段から離れた、例えば電解室中央位置に備えると、該希釈水供給手段により供給される希釈水により電解途中の前記塩化物水溶液を希釈して、電解効率を低くするので好ましくない。
【００２３】
また、本発明の電解水生成装置において、前記被電解水供給手段は前記各電解室の底部から原水を供給すると共に、前記酸性電解水取出し手段は前記陽極側の電解室の上部から前記酸性の電解水を取出すことを特徴とする。前記気体状の塩素及び酸素は、前記陽極側の電解室内で気泡を生成し、電極等に付着する。そこで、前記被電解水供給手段により前記各電解室の底部から前記塩化物水溶液を供給すると共に、前記酸性電解水取出し手段により前記陽極側の電解室の上部から前記酸性の電解水を取出すことにより、前記陽極側の電解室内に底部から上部に向かう水流が形成される。また、前記電極等に付着した気体状の塩素及び酸素は該水流により移動せしめられて前記酸性電解水取出し手段近傍に集められ、該酸性電解水取出し手段近傍程、電極に多数付着した状態となる。
【００２４】
本発明の電解水生成装置では、前述のように前記酸性電解水取出し手段近傍に前記希釈水供給手段を備えるものであるので、前記酸性電解水取出し手段近傍に集められた前記気体状の塩素を前記希釈水供給手段から供給される希釈水で攪拌しながら効率よく溶解せしめることができる。この結果、同率の希釈率であれば更に残留塩素濃度が高い電解水を得ることができる。
【００２５】
また、前記陽極側の電解室では、前記式（１）に示すように酸素が発生し、その一部は気体状となって、気泡が前記塩素と同様に該電解室内で前記電極などに付着する。前記電極に前記塩素、酸素等の気泡が付着して該電極の表面が該気泡により被覆されると、該電極と前記塩化物水溶液との接触が阻害され、電解効率が低下する。
【００２６】
しかし、本発明の電解水生成装置では、前述のように前記電極に付着した前記塩素、酸素等の気泡は前記水流により前記電極に沿って上部へ移動し、該電極の上部程、多数付着した状態となる。そこで、本発明の電解水生成装置では、前記電極が前記陽極側の電解室において前記希釈水供給手段に臨む位置に備えられていることにより、該電極の上部に付着した前記塩素、酸素等の気泡を該希釈水供給手段から供給される希釈水による水流で攪拌することによって電極表面から除去することができる。この結果、更に電解効率を向上させることができ、また電極への電荷の局部的な集中が緩和されるため、電極の劣化を抑制して長寿命化を図ることができる。
【００２７】
本発明の電解水生成装置では、前記希釈水はどのような水であってもよいが、前記各電解室に供給されるものと同一の原水を用いることにより、構成を簡素化してコストを低減することができる。前記原水は、前記各電解室に供給される原水と別に前記希釈水供給手段に供給されてもよく、前記塩化物添加手段の上流側で分岐させて、前記希釈水供給手段に供給するようにしてもよい。
【００２８】
【発明の実施の形態】
次に、添付の図面を参照しながら本発明の実施の形態についてさらに詳しく説明する。図１は本実施形態の電解水生成装置のシステム構成図であり、図２は図１示の電解槽の縦断面図、図３は図２のＩＩＩ−ＩＩＩ線断面図である。また、図４は電解水生成装置における電解電流と生成した電解水に含まれる残留塩素濃度との関係について本実施形態と従来例との比較を示すグラフであり、図５は電解水生成装置における被電解水の流量当たりの電荷量と、生成した電解水のｐＨとの関係について本実施形態と従来例との比較を示すグラフであり、図６は同一濃度の残留塩素を含む電解水を得るために電解水生成装置において消費される電力について本実施形態と従来例との比較を示すヒストグラムである。
【００２９】
図１に示すように、本実施形態の電解水生成装置１において、電解槽２は対向配置された電極３，４の間にイオン透過性の隔膜５を備え、隔膜５により２つの電解室６，７が分離形成された構成となっている。電極３，４は、メッシュ状のチタン電極に白金及びイリジウム酸化物を主とする電解触媒（日本カーリット社製）が担持されたもので、電源装置８に接続されて例えば電極３が陽極、電極４が陰極とされている。
【００３０】
各電解室６，７の底部には塩化ナトリウム水溶液供給導管９，１０が接続されている。塩化ナトリウム水溶液供給導管９，１０は原水導管１１、電磁弁１２、減圧弁１３を介して図示しない水道管等に接続され、濃塩化ナトリウム水溶液タンク１４からメータリングポンプ１５により供給される濃塩化ナトリウム水溶液が原水導管１１内で原水と混合されて調製される所定濃度の塩化ナトリウム水溶液が塩化ナトリウム水溶液供給導管９，１０から各電解室６，７に供給されるようになっている。尚、原水導管１１にはフローセンサ１１ａが備えられ、塩化ナトリウム水溶液供給導管９，１０にはそれぞれ流量調整弁９ａ、１０ａが備えられている。
【００３１】
また、各電解室６，７で前記塩化ナトリウム水溶液の電解により生成する酸性またはアルカリ性の電解水は、各電解室６，７の上部に接続された電解水取出導管１６，１７により取り出され、三方弁１８，１９により酸性の電解水は酸性電解水取出導管２０から、アルカリ性の電解水はアルカリ性電解水取出導管２１から取り出されるようになっている。
【００３２】
各電解室６，７の上部には、電解水取出導管１６，１７の近傍に希釈水導管２２，２３が接続されており、希釈水導管２２，２３はバイパス導管２４、電磁弁２５、減圧弁２６を介して、濃塩化ナトリウム水溶液タンク１４の上流側で原水導管１１に接続されている。尚、希釈水導管２２，２３にはそれぞれ流量調整弁２２ａ、２３ａ、フローセンサ２２ｂ、２３ｂが備えられている。
【００３３】
電解水生成装置１では、電極３，４の極性を前記のまま固定しておくと、陰極側の電極４に炭酸カルシウム、炭酸マグネシウム等の塩基性化合物の析出物からなるスケールが付着して次第に電解効率が低減する。そこで、電解水生成装置１では、これを防止するために、制御手段２７により電極３，４の極性を周期的に交互に切り換えるようになっている。また、電極３，４の極性を切替えると各電解室６，７で生成する電解水の液性も切替るので、制御手段２７は電極３，４の極性切り換えに対応して三方弁１８，１９の接続方向を切替る制御を行う。
【００３４】
例えば、制御手段２７により電極３を陽極、電極４を陰極として電解を行うときには、三方弁１８により電解水取出導管１６と酸性電解水取出導管２０とを接続するとともに、三方弁１９により電解水取出導管１７とアルカリ性電解水取出導管２１とを接続する。この場合には、電解室６が陽極側となるので電解室６で酸性の電解水が生成し、陰極側となる電解室７にはアルカリ性の電解水が生成する。そして、電解室６で生成した酸性の電解水は酸性電解水取出導管２０から、電解室７で生成したアルカリ性の電解水は同様にアルカリ性電解水取出導管２１から取り出される。
【００３５】
次に、図２及び図３を参照して電解槽２の構成について説明する。
【００３６】
電解槽２は、内部に電解室６，７を形成する空洞部３１，３２を備えるハウジング３３，３４が、空洞部３１，３２が間にイオン透過性の隔膜５を挟んで対向するように組み合わされた構成を備える。ハウジング３３，３４は、図３にハウジング３３を例として示すように略長方形状であり、底部に空洞部３１，３２に連通する塩化ナトリウム水溶液導入部３５，３６、上部に空洞部３１，３２に連通する電解水取出部３７，３８が設けられている。塩化ナトリウム水溶液導入部３５，３６には、その一方の端部に、図１示の塩化ナトリウム水溶液供給導管９，１０が接続される塩化ナトリウム水溶液供給導管接続部３９，４０が設けられている。また、電解水取出部３７，３８には、塩化ナトリウム水溶液供給導管接続部３９，４０に対してハウジング３３，３４の対角線上反対側の端部に、図１示の電解水取出導管１６，１７が接続される電解水取出導管接続部４１，４２が設けられ、電解水取出導管接続部４１，４２の反対側の端部には図１示の希釈水供給導管２２，２３が接続される希釈水供給導管接続部４３，４４が設けられている。尚、図２では、電解水取出導管接続部４１，４２は希釈水供給導管接続部４３，４４の陰に隠れている。
【００３７】
塩化ナトリウム水溶液導入部３５，３６と電解水取出部３７，３８とは、空洞部３１，３２の内面に垂直方向に沿って形成された複数の細い通液路４５，４６により連通されており、通液路４５，４６上にメッシュ状の電極３（図３に仮想線示する），４（図示せず）が設けられている。電極３，４はハウジング３３，３４を貫通して設けられた電極端子４７，４８に支持されており、電極３，４の上端は電解水取出部３７，３８内で希釈水供給導管接続部４３，４４に臨んで設けられている。電極端子４７，４８はハウジング３３，３４の外部で図１示の電源装置８に接続されている。
【００３８】
尚、ハウジング３３，３４は図３示の複数のねじ孔４９，５０に挿通されるボルト（図示せず）により相互に螺着して組み合わせられる。
【００３９】
次に、図１乃至図３に示す本実施形態の電解水生成装置１の作動について説明する。
【００４０】
本実施形態の電解水生成装置１では原水として通常の水道水を使用しており、まず、メータリングポンプ１５により濃塩化ナトリウム水溶液タンク１４から濃塩化ナトリウム水溶液を原水導管１１に供給し、例えば０．０２５〜０．０５モル／リットル（１．４６〜２．９３ｇ／リットル）の範囲の濃度の塩化ナトリウム水溶液を調製し、該塩化ナトリウム水溶液を塩化ナトリウム水溶液供給導管９，１０から各電解室６，７の塩化ナトリウム水溶液導入部３５，３６に供給する。塩化ナトリウム水溶液導入部３５，３６に導入された塩化ナトリウム水溶液は、通液路４５，４６により電解水取出部３７，３８に至り、電解水取出導管１６，１７から取出される。
【００４１】
次に、制御手段２７により、例えば、電極３を陽極、電極４を陰極として電解を行うと、陽極側の電解室６では前記式（１）〜（４）示の反応が起き、有効残留塩素を含む酸性の電解水が生成し、陰極側の電解室７では前記式（５）示の反応が起きてアルカリ性の電解水が生成する。このとき、電解水取出部３７，３８には、電解水取出導管接続部４１，４２が設けられている端部と反対側の端部に設けられている希釈水供給導管接続部４３，４４に接続されている希釈水供給導管２２，２３から、塩化ナトリウムを含まない原水が希釈水として供給される。前記希釈水は、例えば塩化ナトリウム水溶液供給導管９，１０から供給される塩化ナトリウム水溶液と略同等量（１：１）で供給され、この結果前記倍率で希釈された電解水が得られる。
【００４２】
前記電解時に、陽極側の電解室６では前記反応に伴って気体状の塩素及び酸素が生成し、該塩素及び酸素が気泡を形成して電極３に付着する。一方、塩化ナトリウム水溶液導入部３５に導入された塩化ナトリウム水溶液は、通液路４５に沿って電解水取出部３７に至るゆるやかな水流を形成するので、前記塩素及び酸素の気泡は該水流により電極３の表面に沿って移動し、電解水取出部３７内で希釈水供給導管接続部４３に臨んで設けられている電極３の上端に集められ、電極３の上端部程、多数付着した状態を形成する。そして、電極３の上端に集められた前記塩素及び酸素の気泡は、この部分に直接供給される前記希釈水による新たな水流によって攪拌され、溶解が促進される。
【００４３】
この結果、電極室６から取出される酸性の電解水に含まれる残留塩素濃度が高くなると共に、前記塩素及び酸素の気泡が電極３の表面から除去されることにより電解効率が向上する。
【００４４】
このとき、希釈水供給導管２２は、電解水取出部３７内で電解水取出導管接続部４１が設けられている端部と反対側の端部に設けられている希釈水供給導管接続部４３に接続されている。従って、希釈水供給導管２２から供給された希釈水が希釈水供給導管接続部４３側から電解水取出導管接続部４１方向に流れる間に、前記塩素及び酸素の気泡を攪拌しながら効率よく溶解を促進することができる。
【００４５】
また、希釈水供給導管接続部４３はオリフィスを備えていてもよい。前記希釈水は、前記オリフィスを介して電解水取出部３７内に供給される結果、流速が増大し、前記塩素及び酸素の気泡を巻き込んで流れるので、前記塩素及び酸素の気泡をさらに効率よい溶解を促進することができる。
【００４６】
また、前記電解時に、陰極側の電解室７では前記反応に伴って気体状の水素が生成し、該水素が気泡を形成して電極４に付着する。しかし、この水素の気泡は陽極側の電解室６の場合と同様に、塩化ナトリウム水溶液導入部３６に導入され通液路４６に沿って電解水取出部３８に至るゆるやかな塩化ナトリウム水溶液の水流により電極４の上端に集められ、電極４の上端部程、多数付着した状態を形成する。そして、希釈水供給導管２４からこの部分に供給される希釈水による新たな水流によって、電極４の表面から気泡を除去することができる。従って、陰極側の電解室７においても電解効率が向上する。
【００４７】
次に、電解室６で得られた酸性の電解水は、電解水取出導管接続部４１に接続されている電解水取出導管１６により電解室６から取出される。このとき、制御装置２７は、電極３を陽極、電極４を陰極とする設定に対応して、三方弁１８により電解水取出導管１６と酸性電解水取出導管２０とを接続するとともに、三方弁１９により電解水取出導管１７とアルカリ性電解水取出導管２１とを接続している。従って、前記酸性の電解水が酸性電解水取出導管２０から取出される。
【００４８】
次に、本実施形態の電解水生成装置１及び従来の電解水生成装置において、電極３，４に通じる電解電流を変えて、電解電流と、電解室６で得られた酸性の電解水に含まれる残留塩素濃度との関係を比較した。前記従来の電解水生成装置は、図１示の本実施形態の電解水生成装置１において、希釈水供給導管２２，２３をそれぞれ電解水取出導管１６，１７に接続し、電解槽２の外部で希釈水を供給するようにした以外は電解水生成装置１と全く同一の構成である。塩化ナトリウム水溶液の濃度、供給量及び希釈水の供給量は、本実施形態の電解水生成装置１、従来の電解水生成装置とも全く同一条件である。結果を図４に示す。
【００４９】
図４から、本実施形態の電解水生成装置１によれば、電解室６で得られた酸性の電解水に含まれる残留塩素濃度は、電解電流の大きさに関らず、従来の電解水生成装置よりも高くなることが明らかである。これは、本実施形態の電解水生成装置１は、希釈率が同一であれば、従来の電解水生成装置より高濃度の残留塩素を含む電解水を得ることができることを示している。
【００５０】
また、図４の結果は、本実施形態の電解水生成装置１によれば、同一濃度の残留塩素を含む電解水を得ようとすれば、従来の電解水生成装置よりも希釈率を高くして、前記酸性の電解水の収率を高めることができることを示している。
【００５１】
次に、本実施形態の電解水生成装置１及び従来の電解水生成装置において、電解室６，７に供給される塩化ナトリウム水溶液の流量に対し該塩化ナトリウム水溶液に付与される電荷量の比と、電解室６で生成した酸性の電解水のｐＨとの関係を比較した。結果を図５に示す。尚、図５では塩化ナトリウム水溶液の流量（Ｑ）に対する該塩化ナトリウム水溶液に付与される電荷量（Ｉ）の比をＩ／Ｑの対数で示している。
【００５２】
図５から、本実施形態の電解水生成装置１によれば、電解室６で得られた酸性の電解水のｐＨは、Ｉ／Ｑの値の大きさに関らず、従来の電解水生成装置よりも低くなることが明らかである。これは、本実施形態の電解水生成装置１では、前記式（１）、（４）で示される反応におけるプロトン（Ｈ+）の生成効率が、従来の電解水生成装置よりも高く、電解効率が向上されていることを示している。
【００５３】
次に、本実施形態の電解水生成装置１及び従来の電解水生成装置において、３０ｐｐｍの残留塩素を含む電解水を得るために電解水生成装置において消費される電力を比較した。結果を図６に示す。
【００５４】
図６から、本実施形態の電解水生成装置１によれば、従来の電解水生成装置に比較して消費電力が少なく、電解効率が向上されていることが明らかである。
【００５５】
前記実施形態では、制御装置２７により電極３を陽極、電極４を陰極に設定する場合を例として説明している。しかし、本実施形態の電解水生成装置１は、制御装置２７により電極３，４の極性が切替えられ、電極３が陰極、電極４が陽極となった場合についても、電極３，４の極性及び電解室６，７で生成する電解水の液性が逆転する以外は前記実施形態と全く同一に作動する。
【００５６】
尚、この場合、制御手段２７は電極３を陰極、電極４を陽極とする設定に対応して、三方弁１８により電解水取出導管１７と酸性電解水取出導管２０とを接続するとともに、三方弁１９により電解水取出導管１６とアルカリ性電解水取出導管２１とを接続する。従って、前記酸性の電解水が酸性電解水取出導管２０から取出されることに変わりはない。
【００５７】
また、前記実施形態では、原水に塩化ナトリウムを添加する場合を示しているが、塩化ナトリウムに替えて塩化カリウム等他の塩化物を用いるようにしてもよい。
【図面の簡単な説明】
【図１】本発明の電解水生成装置の一例を示すシステム構成図。
【図２】図１示の電解槽の縦断面図。
【図３】図２のＩＩＩ−ＩＩＩ線断面図。
【図４】電解水生成装置における電解電流と生成した電解水に含まれる残留塩素濃度との関係について図１示の実施形態と従来例との比較を示すグラフ。
【図５】電解水生成装置における被電解水の流量当たりの電荷量と、生成した電解水のｐＨとの関係について図１示の実施形態と従来例との比較を示すグラフ。
【図６】同一濃度の残留塩素を含む電解水を得るために電解水生成装置において消費される電力について図１示の実施形態と従来例との比較を示すヒストグラム。
【符号の説明】
１…電解水生成装置、  ２…電解槽、  ３，４…電極、  ５…イオン透過性の隔膜、  ６，７…電解室、  ９，１０…被電解水供給手段、  １４，１５…塩化物添加手段、  １６，１７，２０…酸性電解水取出し手段、  ２２，２３…希釈水供給手段。
【図１】
0003746932.tif 000005
【図２】
0003746932.tif 000006
【図３】
0003746932.tif 000007
【図４】
0003746932.tif 000008
【図５】
0003746932.tif 000009
【図６】
0003746932.tif 000010